(57)【要約】    【課題】  積層コアを通過する磁束をより増加させることのできるモータを提供すること。    【解決手段】  複数の鋼板２１を積層することにより形成された積層コア２０と、積層コア２０に配置されたコイル１２とを備える電機子３０と、電機子３０の径方向外方に配置されかつ電機子３０の回転軸方向における長さが、積層コア２０のコイル１２が配置された部分の回転軸方向における長さより長く形成された永久磁石１１と、を備えるモータ１０において、積層コア２０を構成する鋼板２１は、積層された鋼板２１の外周部２１ａ同士が回転軸方向に間隔を隔てて形成されている構成としたこと。【選択図】  図２
2008182845.tif 000002
【特許請求の範囲】
【請求項１】
複数の鋼板を積層することにより形成された積層コアと、積層コアに配置されたコイルとを備える電機子と、
前記電機子の径方向外方に配置されかつ前記電機子の回転軸方向における長さが、前記積層コアの前記コイルが配置された部分の回転軸方向における長さより長く形成された永久磁石と、を備えるモータにおいて、
前記積層コアを構成する鋼板は、前記積層された鋼板の外周部同士が前記回転軸方向に間隔を隔てて形成されていることを特徴とするモータ。
【請求項２】
前記積層コアを構成する鋼板の外周部には屈曲部が設けられ、該屈曲部は、前記鋼板の外周部に対応する部分が間隔を隔てて形成されていることを特徴とする請求項１に記載のモータ。
【請求項３】
前記屈曲部は、前記鋼板の前記コイルが配置された部分と直交し前記回転軸方向に延びる第１の部分と、該第１の部分と直交し前記積層コアの半径方向外方に延びる第２の部分とを備えていることを特徴とする請求項２に記載のモータ。
【発明の詳細な説明】
【技術分野】
【０００１】
本発明は、モータに関する。
【背景技術】
【０００２】
公知のモータが後述の特許文献１に記載されている。このモータは、図３に示す様に、複数の鋼板を積層することにより形成され回転軸５に固定された積層コア１と、積層コア１に配置されたコイル２とを備える電機子３と、電機子３の径方向外方に配置されかつ電機子３の回転軸方向における長さが、積層コア１のコイル２が配置された部分の回転軸方向における長さより長く形成された永久磁石４と、を備えている。
【特許文献１】特開２００３−４７１９５号公報
【発明の開示】
【発明が解決しようとする課題】
【０００３】
上述のものでは、コイル２が配置される部分の積層コア１の高さ寸法（回転軸方向長さ）が永久磁石４の高さ寸法よりも小さく、積層コア１のうち永久磁石４に対向する部分（外周部）の高さ寸法が永久磁石４の高さ寸法に対して十分ではない。このため、積層コア１が永久磁石４の磁束を効率的に集めることができず、積層コア１を通過する磁束をより増加させ、モータのトルクアップを図る上では改善の余地があった。
【０００４】
よって、本発明は上記の問題点に鑑みてなされたものであり、積層コアを通過する磁束をより増加させることのできるモータを提供することを課題とする。
【課題を解決するための手段】
【０００５】
上記課題を解決するために、本発明にて講じた技術的手段は、複数の鋼板を積層することにより形成された積層コアと、積層コアに配置されたコイルとを備える電機子と、前記電機子の径方向外方に配置されかつ前記電機子の回転軸方向における長さが、前記積層コアの前記コイルが配置された部分の回転軸方向における長さより長く形成された永久磁石と、を備えるモータにおいて、前記積層コアを構成する鋼板は、前記積層された鋼板の外周部同士が前記回転軸方向に間隔を隔てて形成されている構成としたことである。
【０００６】
好ましくは、前記積層コアを構成する鋼板の外周部には屈曲部が設けられ、該屈曲部は、前記鋼板の外周部に対応する部分が間隔を隔てて形成されていると良い。
【０００７】
好ましくは、前記屈曲部は、前記鋼板の前記コイルが配置された部分と直交し前記回転軸方向に延びる第１の部分と、該第１の部分と直交し前記積層コアの半径方向外方に延びる第２の部分と備えていると良い。
【発明の効果】
【０００８】
本発明によれば、積層コアを構成する鋼板は、積層された鋼板の外周部同士が回転軸方向に間隔を隔てて形成されているので、コイルが配置される部分の積層コアの高さ寸法（回転軸方向長さ）が従来のものに比べて大きくなる。これにより、積層コアの単位材料あたりに受け取る磁束本数が増加するため、積層コアを通過する磁束をより増加させることができる。
【発明を実施するための最良の形態】
【０００９】
以下、本発明を実施するための最良の形態を、図面を基に説明する。
【００１０】
図１は本発明に係るモータ１０の概略的な断面図、図２は積層コア２０の詳細な構造を示す図である。
【００１１】
モータ１０は、積層コア２０（積層鉄心）とコイル１２とを備えた電機子３０と、永久磁石１１とを備えている。積層コア２０は、複数の鋼板２１（図２参照）を積層することによって形成され、回転軸１４に固定される。コイル１２は、積層コア２０に配置されている。永久磁石１１は、フェライト等で形成されるものである。永久磁石１１は、電機子３０の径方向（図１示左右方向）の外方に配置され、モータケース１３の内周面に固定される。永久磁石１１は、電機子３０の回転軸方向（図１及び図２示上下方向）における長さが、積層コア２０のコイル１２が配置された部分の回転軸方向における長さより長く形成される。回転軸１４は、ボールベアリング１５を介してモータケース１３に回転可能に支持される。回転軸１４は、積層コア２０と一体に回転する。回転軸１４には、整流子１６が固定される。整流子１６は、積層コア２０に設けられたコイル１２と電気的に接続される。整流子１６は、電流供給源（図示せず）と電気的に接続される。
【００１２】
図２に示す様に、積層コア２０は、複数の鋼板２１（符番は一部のみ）を積層することによって形成される。積層コア２０は、積層部２２と、屈曲部２３とを備えている。積層部２２は、鋼板２１が回転軸方向（高さ方向）に隙間なく積層された部分である。積層部２２は、積層コア２０における半径方向（図２示左右方向）の内側（図２示左側）に設けられる。積層部２２には、コイル１２が配置される。積層部２２の高さ方向の寸法は、永久磁石１１の高さ方向の寸法よりも小さい。屈曲部２３は、積層コア２０における半径方向の外側（図２示右側）に設けられる。屈曲部２３は、積層コア２０を構成する鋼板２１の外周部２１ａ（符番は一部のみ）に設けられている。屈曲部２３は、電機子３０の回転軸方向に離間するように屈曲している。屈曲部２３は、鋼板２１のコイル１２が配置された部分と直交し回転軸方向に延びる第１の部分２３ａ（符番は一部のみ）と、第１の部分２３ａと直交し積層コア２０の半径方向外方（図２示右方）に延びる第２の部分２３ｂ（符番は一部のみ）とを備えている。つまり、積層コア２０を構成する鋼板２１は、積層された鋼板２１の外周部２１ａ同士が回転軸方向に間隔を隔てるように形成されている。
【００１３】
実施例において、積層コア２０を構成する鋼板２１の回転軸方向中央部の外周部２１ａ同士は離間しておらず（屈曲部２３を有していない）、回転軸方向中央部より外側の鋼板２１の外周部２１ａ同士は離間している。具体的に、積層コア２０を構成する回転軸方向外側に配置された４枚以上の鋼板２１の外周部２１ａが間隔を隔てるように形成されていることが好ましい。
【００１４】
また、屈曲部２３としては、電機子３０の回転軸方向において鋼板２１の外周部２１ａを湾曲させることにより、鋼板２１の外周部２１ａ同士の間隔を隔てたものであってもよい。
【００１５】
本発明のモータ１０では、積層コア２０を構成する鋼板２１は、積層された鋼板２１の外周部２１ａ同士が回転軸方向に間隔を隔てるように形成されているので、コイル１２が配置される部分の積層コア２０の高さ寸法（回転軸方向長さ）が従来のものに比べて大きくなる。これにより、積層コア２０の単位材料あたりに受け取る磁束本数が増加するため、積層コア２０を通過する磁束をより増加させることができる。
【００１６】
その結果、従来のものと同等のサイズでより大きなトルクが得られるモータを実現できると共に（モータのトルクアップ）、従来のものより小さなサイズで従来のものと同等のトルクが得られるモータを実現できる（モータの小型化、軽量化）。
【図面の簡単な説明】
【００１７】
【図１】本発明に係るモータ１０の概略的な断面図。
【図２】積層コア２０の詳細な構造を示す図。
【図３】公知のモータを示す図。
【符号の説明】
【００１８】
１０  モータ
１１  永久磁石
１２  コイル
２０  積層コア
２１  鋼板
２１ａ  外周部
２３  屈曲部
２３ａ  第１の部分
２３ｂ  第２の部分
３０  電機子
【図１】
2008182845.tif 000003
【図２】
2008182845.tif 000004
【図３】
2008182845.tif 000005